【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】
画像、音声又は光を出力する出力手段と、該出力手段を制御する出力制御装置とを備える弾球遊技機において、
前記出力制御装置に、
１つ又は１群の同種の前記出力手段を作動させるためのシーケンスラインであって、並列動作する複数のシーケンスラインと、
前記並列動作している複数のシーケンスラインのいずれか１つを、前記出力手段を作動させる有効シーケンスラインとして選択するライン選択手段とを備え、
前記弾球遊技機の前面に遊技者が操作可能な切換スイッチを備え、
前記ライン選択手段は前記切換スイッチの操作に応じて前記有効シーケンスラインを切り替えることを特徴とする弾球遊技機。
【請求項２】
画像、音声又は光を出力する出力手段と、該出力手段を制御する出力制御装置とを備える弾球遊技機において、
前記出力制御装置に、
１つ又は１群の同種の前記出力手段を作動させるためのシーケンスラインであって、並列動作する複数のシーケンスラインと、
前記並列動作している複数のシーケンスラインのいずれか１つを、前記出力手段を作動させる有効シーケンスラインとして選択するライン選択手段とを備え、
前記弾球遊技機の遊技盤面上に遊技球の入球を検出する切換スイッチを備え、
前記ライン選択手段は前記切換スイッチの操作に応じて前記有効シーケンスラインを切り替えることを特徴とする弾球遊技機。
【請求項３】
請求項１又は２記載の弾球遊技機において、
前記有効シーケンスラインの切り換えに際して前記出力手段を移行態様で作動させる移行制御手段を前記出力制御装置に備えた
ことを特徴とする弾球遊技機。
【請求項４】
請求項１、２又は３記載の弾球遊技機において、
前記複数のシーケンスラインには、前記有効シーケンスラインとして選択可能な期間が制限されている前記シーケンスラインが含まれている
ことを特徴とする弾球遊技機。
【請求項５】
請求項１、２、３又は４記載の弾球遊技機において、
前記ライン選択手段は、前記切換スイッチが作動しても前記有効シーケンスラインの切り換えを行わないことがある
ことを特徴とする弾球遊技機。
【請求項６】
請求項５記載の弾球遊技機において、
前記ライン選択手段は、１回の前記並列動作中の前記有効シーケンスラインの切り換え回数が設定回数になると前記切換スイッチが作動しても前記有効シーケンスラインの切り換えを行わない
ことを特徴とする弾球遊技機。
【請求項７】
請求項５記載の弾球遊技機において、
前記ライン選択手段は、前記切換スイッチが作動しても前記有効シーケンスラインの切り換えを行わなかった連続回数が設定回数になると、前記切換スイッチの作動時には必ず前記有効シーケンスラインを切り換える
ことを特徴とする弾球遊技機。
【手続補正３】
【補正対象書類名】明細書
【補正対象項目名】０００７
【補正方法】変更
【補正の内容】
【０００７】
【課題を解決するための手段および発明の効果】
請求項１記載の弾球遊技機は、画像、音声又は光を出力する出力手段と、該出力手段を制御する出力制御装置とを備える弾球遊技機において、前記出力制御装置に、１つ又は１群の同種の前記出力手段を作動させるためのシーケンスラインであって並列動作する複数のシーケンスラインと、前記並列動作している複数のシーケンスラインのいずれか１つを、前記出力手段を作動させる有効シーケンスラインとして選択するライン選択手段とを備え、前記弾球遊技機の前面に遊技者が操作可能な切換スイッチを備え、前記ライン選択手段は前記切換スイッチの操作に応じて前記有効シーケンスラインを切り替えることを特徴とする。
また、請求項２記載の弾球遊技機は、画像、音声又は光を出力する出力手段と、該出力手段を制御する出力制御装置とを備える弾球遊技機において、前記出力制御装置に、１つ又は１群の同種の前記出力手段を作動させるためのシーケンスラインであって、並列動作する複数のシーケンスラインと、前記並列動作している複数のシーケンスラインのいずれか１つを、前記出力手段を作動させる有効シーケンスラインとして選択するライン選択手段とを備え、前記弾球遊技機の遊技盤面上に遊技球の入球を検出する切換スイッチを備え、前記ライン選択手段は前記切換スイッチの操作に応じて前記有効シーケンスラインを切り替えることを特徴とする。
【手続補正４】
【補正対象書類名】明細書
【補正対象項目名】００１２
【補正方法】変更
【補正の内容】
【００１２】
請求項１記載の弾球遊技機は、前記弾球遊技機の前面に遊技者が操作可能な切換スイッチを備え、請求項２記載の弾球遊技機は、前記弾球遊技機の遊技盤面上に遊技球の入球を検出する切換スイッチを備えている。そして、前記ライン選択手段は、切換スイッチの作動に応じて前記有効シーケンスラインを切り換える構成であるから、例えば切換スイッチがオン操作される毎に出力内容を切り換えることが可能になる。これによる出力内容の変更にて、演出の幅を飛躍的に広げて興趣を高めることができる。
【手続補正５】
【補正対象書類名】明細書
【補正対象項目名】００１３
【補正方法】変更
【補正の内容】
【００１３】
請求項１の切換スイッチは弾球遊技機の前面に設置されて、遊技者によって操作され、請求項２の切換スイッチは遊技盤面上に遊技球の入球を検出するスイッチとして設置され、遊技球によって操作される。これらの構成であると、切換スイッチの操作タイミングが遊技機には予測できなが、並列動作している複数のシーケンスラインのいずれか１つを有効シーケンスラインとして選択するだけであるから、出力内容（演出）の切換時期を問わずに速やかに切り換えることができる。また、遊技者が操作するにしろ遊技球によって操作されるにしろ、出力内容（演出）の変更に遊技者が関与することができ、遊技の興趣を高めることが可能になる。
【手続補正６】
【補正対象書類名】明細書
【補正対象項目名】００１４
【補正方法】変更
【補正の内容】
【００１４】
請求項３記載の弾球遊技機は、請求項１又は２記載の弾球遊技機において、前記有効シーケンスラインの切り換えに際して前記出力手段を移行態様で作動させる移行制御手段を前記出力制御装置に備えたことを特徴とする。
有効シーケンスラインの切り換えに際して出力手段を移行態様で作動させる（例えば画像出力におけるカットイン等を行う）ので、いきなり切り換える場合に比べて違和感を感じさせない。また、移行態様での出力、すなわち特殊な出力により出力内容の切り換えが行われることを遊技者に報知できる。
【手続補正７】
【補正対象書類名】明細書
【補正対象項目名】００１６
【補正方法】変更
【補正の内容】
【００１６】
請求項４記載の弾球遊技機は、請求項１、２又は３記載の弾球遊技機において、前記複数のシーケンスラインには、前記有効シーケンスラインとして選択可能な期間が制限されている前記シーケンスラインが含まれていることを特徴とする。
一部又は全部のシーケンスラインについて有効シーケンスラインとして選択可能な期間を制限すると、切換スイッチの操作タイミングが重視され、より興趣を高めることができる。
【手続補正８】
【補正対象書類名】明細書
【補正対象項目名】００１８
【補正方法】変更
【補正の内容】
【００１８】
請求項５記載の弾球遊技機は、請求項１、２、３又は４記載の弾球遊技機において、前記ライン選択手段は、前記切換スイッチが作動しても前記有効シーケンスラインの切り換えを行わないことがあることを特徴とするので、切換スイッチによる有効シーケンスラインの切り換えが生じたり生じなかったりするおもしろさがある。また、切換スイッチの作動時には必ず切り換えが行われる場合に比べて、シーケンスラインすなわち出力内容が切り換わることに対する期待感を向上させることができる。
【手続補正９】
【補正対象書類名】明細書
【補正対象項目名】００１９
【補正方法】変更
【補正の内容】
【００１９】
請求項６記載の弾球遊技機は、請求項５記載の弾球遊技機において、前記ライン選択手段は、１回の前記並列動作中の前記有効シーケンスラインの切り換え回数が設定回数になると前記切換スイッチが作動しても前記有効シーケンスラインの切り換えを行わないことを特徴とする。つまり、有効シーケンスラインの切り換え回数に制限があるので、際限なく切り換え可能な場合に比べて、切換スイッチの作動タイミングが重視され、飛躍的に興趣を高めることができる。また、切換スイッチをどのタイミングで操作するかを遊技者に考えさせることも可能になる。
【手続補正１０】
【補正対象書類名】明細書
【補正対象項目名】００２１
【補正方法】変更
【補正の内容】
【００２１】
請求項７記載の弾球遊技機は、請求項５記載の弾球遊技機において、前記ライン選択手段は、前記切換スイッチが作動しても前記有効シーケンスラインの切り換えを行わなかった連続回数が設定回数になると、前記切換スイッチの作動時には必ず前記有効シーケンスラインを切り換えることを特徴とする。
【手続補正１１】
【補正対象書類名】明細書
【補正対象項目名】００２４
【補正方法】変更
【補正の内容】
【００２４】
【実施例】
図２に示すように、弾球遊技機の一種であるパチンコ機５０は、長方形の外枠５１と前面枠５２とからなる筐体にて構成の各部を保持する構造である。
前面枠５２は、左側上下のヒンジにより外枠５１に対し開閉可能に取り付けられており、通常は図示するように閉じた状態とされる。
【手続補正１２】
【補正対象書類名】明細書
【補正対象項目名】０１３６
【補正方法】削除
【補正の内容】